(57)【要約】      （修正有） 【課題】名札部を明るく照らし出して装着者が誰であるか容易に判明可能し、更に前方方向を明るくして手元や足元を明るくするネームホルダーの提供。【解決手段】シート状の光透過性を有する名札部２とこの名札部を照射する発光部３とこの両者を挿入し又は挟み込む少なくとも前面が透明又は半透明なネームホルダー本体１からなるネームホルダーであり、該ネームホルダー内には前面方向に名札部が位置し、背面方向には該発光部が位置し、該ネームホルダーは装着者の胸及びその周囲又は前方方向に配設するための装着部材を有し、装着者にネームホルダーを装着した状態で発光部を発光することによって名札部を照射し、更にその前方方向を照射するネームホルダー。【選択図】図１
0003117731.tif 000002
【実用新案登録請求の範囲】
【請求項１】
シート状の光透過性を有する名札部２と、この名札部２を照射する発光部３と、この両者を挿入しまたは挟み込む少なくとも前面が透明又は半透明なネームホルダー本体１からなるネームホルダーであって、
該ネームホルダー内には前面方向に名札部２が位置し、背面方向には発光部３が位置し、
該ネームホルダーは装着者の胸及びその周囲又は前方方向に配設するための装着部材を有しており、
装着者にネームホルダーを装着した状態で発光部３を発光することによって、名札部２を照射すると共にその前方方向を照射することを特徴とするネームホルダー。
【請求項２】
発光部３が発光ダイオードにより発光することを特徴とする請求項１記載のネームホルダー。
【請求項３】
発光部３がエレクトロルミネセンスにより発光することを特徴とする請求項１記載のネームホルダー。
【請求項４】
発光部３が液晶により発光することを特徴とする請求項１記載のネームホルダー。
【請求項５】
発光部３の発光ダイオードの背面方向に反射板を有することを特徴とする請求項２記載のネームホルダー。
【請求項６】
発光部３が導光板を用いて発光することを特徴とする請求項１記載のネームホルダー。
【請求項７】
名札部２をトレーシングペーパーにて構成したことを特徴とする請求項１乃至６のいずれかに記載のネームホルダー 。
【請求項８】
発光の点灯及び消灯を制御するスイッチ部３８を有することを特徴とする請求項１乃至６のいずれかに記載のネームホルダー。
【請求項９】
ネームホルダー上部１にフード１２を突出して設けたことを特徴とする請求項１乃至８のいずれかに記載のネームホルダー。
【考案の詳細な説明】
【技術分野】
【０００１】
本考案は光源を有するネームホルダーの考案に関し、より具体的にはトレーシングペーパー等を用いた光源を有するネームホルダーに関する。
【背景技術】
【０００２】
従来より自己の名前等をネームホルダーに表示して自己の身分等を明確にすることは多用されている。
この場合、透明なケーシング内に自己の名前等を記載又は印刷した名札を挿入し、ケーシングに付属するクリップ等で衣服に係止して用いるものである。
更に液晶表示機に名前等の情報を表示するものとして特開平８‐２５８４６９号（特許文献１）に記載の電子名札が存在する。
係る電子名札はデータ転送により必要情報を電子名札に表示するものである。
又、ネームホルダーではないがワッペンに発光ダイオード点滅球を有し注意を喚起する安全シンボルワッペンが特開平５‐３３７００３号（特許文献２）として存在する。
従って、外部よりワッペンの存在を明確に視認できるものである。
【０００３】
更に、氏名表示部を有すると共に呼び出しを報知する呼び出し報知部を有する無線ページング受信機が特開平９‐２８４８２４号（特許文献３）として存在する。
該受信機はクリップや安全ピンで衣服に係止するものであり、氏名表示部を有する名札筐体と受信を知らせるＬＥＤを有するものである。
これらのように、名札機能を有するネームホルダーは各種存在すると共に衣服につけて外部からの情報を知らせるため、或いは自己の存在を明確にするためのＬＥＤ等による発行手段を有する技術は存在する。
【特許文献１】特開平８‐２５８４６９号
【特許文献２】特開平５‐３３７００３号
【特許文献３】特開平９‐２８４８２４号
【考案の開示】
【考案が解決しようとする課題】
【０００４】
以上の様にネームホルダーや発光手段を有する先行技術は存在するが、例えば看護や介護の現場において夜間の巡回や薄暗い場所での介護等に関し、複数名が在室する病室等においては該部屋の電気をつけることができず、一般的には懐中電灯を用いて巡回や介護を行うものであるが、懐中電灯を片手に持つことからどうしてもその片手が塞がってしまい作業性が悪いものであった。
これに対して例えば病室においては枕元の電気スタンドを用いる場合もあるが、このスタンドは一定方向に向いているものであって周りへの光の干渉を少なくするものであり、作業を行うべき手元等を有効に照らせるとは限らないものである。
【０００５】
この場合例えば胸等に係止可能な部材に光源を有することによって両手を使えることとなると共に手元を明るくすることができるものである。
従って特開平５‐３３７００３号（特許文献２）の光源を用いることもできるが係るワッペンは単に自らの存在を明示するために点灯等する光源であり、更に直接外部に照射される光源であり極めてまぶしく前記の場合等には全く用いることはできないものである。
更に特開平９‐２８４８２４号（特許文献３）も光源を有するが、特定の場合だけ点灯するものであり仮に常時点灯させた場合でもその光源は直接外部に照射される光源であり、極めてまぶしく前記の場合等には全く用いることはできないものである。
【０００６】
即ち胸に光源をつけてそのまま病室内等を移動した場合には進行方向に対して全てそのままの光を照射することとなり、寝ている患者等に対して光が当たってしまうものであり、実用性にかけるものである。
従って、胸等の体の前面に係止可能であって両手を作業に使える光源でありかつ薄暗い場所や夜間の看護や介護に際して周囲に不要な明かりを撒き散らすことがなく、かつ手元や足元が不便を感じないだけの照明を得ることができる何らかの光源を有するネームホルダーが望まれているものである。
この他例えば、ネームホルダーの文字を簡単に表示でき更には必要に応じて薄暗いところでネームホルダーの文字をより読みやすくすることができる方策も望まれる。
【０００７】
この場合、特開平８‐２５８４６９号（特許文献１）に記載の電子名札が存在するが、該電子名札に関してはサーバ等との連携が必要であり、極めてきわめて大掛かりであり、高額になってしまうものである。
従って、簡単かつ低廉で使用できる視認性の高いネームホルダーであって、特に暗い場所でも名札等がよく見えるネームホルダーが望まれている。
更に従来のネームホルダーのうち、最も手軽なネームホルダーは例えば透明な樹脂製のケーシング内に名前等を印刷した白い紙を挿入して該名前を外部に表示するものであるが、これと同様に家庭用のプリンター等で手軽に名前のみならず顔写真や特殊な表示を印刷した上で使用できる何らかのネームホルダーでもあることが望まれている。
【課題を解決するための手段】
【０００８】
係るために、本発明に係る請求項１記載の考案は、シート状の光透過性を有する名札部と、この名札部を照射する発光部と、この両者を挿入し又は挟み込む少なくとも前面が透明又は半透明なネームホルダー本体からなるネームホルダーであって、該ネームホルダー内には前面方向に名札部が位置し、背面方向には該発光部が位置し、該ネームホルダーは装着者の胸及びその周囲又は前方方向に配設するための装着部材を有し、装着者にネームホルダーを装着した状態で発光部を発光することによって、名札部を照射すると共にその前方方向を照射するネームホルダーであり係る考案によって解決できる。
この場合、請求項２記載の発光部が発光ダイオードにより発光するネームホルダーであっても、或いは請求項３記載の発光部がエレクトロルミネセンスにより発光するネームホルダーであっても、或いは請求項４記載の発光部が液晶により発光するネームホルダーであってもよい。
【０００９】
この場合、請求項５記載の考案のように発光部の発光ダイオードの背面方向に反射板を有するネームホルダーであってもよい。
或いは、請求項６記載の考案のように導光板を用いて所謂バックライトとして光を照射するネームホルダーであってもよい。
特に請求項７記載の考案のように、名札部をトレーシングペーパーにて構成することによって極めて使い勝手の良いネームホルダーを提供できる。
このほか、請求項８記載の考案のように発光の点灯及び消灯を制御するスイッチ部を有することにより、点灯と消灯を簡単に制御できることとなる。
或いは請求項９記載の考案のようにネームホルダー上部にフードを突出して設けたものであってもよい。
【考案の効果】
【００１０】
以上より、請求項１記載の考案により名札部を明るく照らし出すことができると共に、該名札部の前方方向を明るくすることができる。
従って、装着者の前方を明るくすることができ手元や足元を明るくすることができる。
更には外部から装着者を把握できると共に名札部を鮮明に読み取れるものである。
例えば看護や介護の現場で夜間の巡回等に用いることにより、患者さん等からは身分が一見して鮮明にわかると共に、装着者側からは前方などを明るくすることができ、胸等に装着すれば両手を自由に使えることとなると共にほのかな明かりの中での作業を可能とする。  
併せて、例えば災害時等においては非常用照明としても用いることができ、火災や地震・台風等で病院や公共の施設での電灯の消失時にも装着者を把握できるばかりでなく装着者自身の身の回りを明るくすることができる。
従って、手元や足元を照らせることから暗闇での心理的不安を除去できると共に周囲の人間にも安心感を与えられるものである。
【００１１】
次に請求項２乃至６記載の考案により各種の光源を用いることができほのかな明かりの提供・低電圧の光源の提供・バックライトとして名札部全体を照射することなどができることとなる。
次に、請求項７記載の考案により簡単に名札部に文字や写真又は絵等を表示でき、更には例えばパソコン等で簡単にプリントできることとなる。
更にトレーシングペーパーにて光が拡散され前方へほのかな明かりを照射可能とすることができる。
従って、夜間の病室等において寝ている患者を起こさずに看護等ができ非常に有益である。
更に請求項８記載の考案により発光の点灯及び消灯を制御できるものとなる。
又請求項９記載の考案によりネームホルダーからの光を上部方向へもれることを防止できるものである。
【考案を実施するための最良の形態】
【００１２】
本考案に係るネームホルダーの最適な一実施の状態を図１に示す。
少なくとも表面部分が透明又は半透明なネームホルダー本体１に顔写真と名前としてＯＯＯと明示された名札部２が挿入されているものであり、該名札の前記表示が明示された背面方向に電源３５及びＬＥＤ（発光ダイオード）３１が配設されている。
尚、プリント基板３６等で配線されており、更にはＬＥＤ発光及び消滅を制御するスイッチ部を図示していないが有しているものである。
該ネームホルダーには、装着部材である首からつるすための紐１７を有しており、簡単に首から下げられるものである。
【００１３】
尚、この構成の他例えば装着部材として胸ポケット等に係止するためのクリップ部や留めピン等を有するものであってもよい。
従ってまず前提として、透明等のネームホルダー内に挿入した前記表示のある名札部２をその背面に設置したＬＥＤ（発光ダイオード）３１等により発光してバックライトとして機能させ、該表示を照らし出すことができるものである。
これにより、胸等に装着して使用する際に名札部２の表示を背面から照らし出すと共に、該ネームホルダーの前方部分即ち胸等の体の前面を明るく照らすことができ、薄暗い場所や暗い場所での作業における手の周囲を明るくでき、手先の作業を効率よく行えることとなる。
【００１４】
この場合、ＬＥＤ（発光ダイオード）３１等により発光を行うと共に名札部２が紙やプラスチック等の媒体を用いることによって、これを透過した光での照射となりほのかに明るい光を前面に照射できる。
従って、例えばトレーシングペーパー等の紙媒体に自己の名前や絵或いは写真等をプリンター等で印字・印刷し、この名札部をネームホルダー１内に挿入して使用することにより、トレーシングペーパーがＬＥＤ（発光ダイオード）３１等の光を拡散して柔らかな光として照射できることとなる。
【００１５】
図２は、図１に係るネームホルダー本体１と、印字した紙媒体等からなる名札部２と、その背面に挿入する発光部３を示す図である。
まず、少なくとも前面部分が透明又は半透明のネームホルダー本体１があり、このネームホルダーの挿入部１０に、外部からの視認を行う紙又は樹脂等の印字可能な媒体よりなる名札部２を挿入するものである。
この場合、一般的なネームホルダーは、透明なアクリルや、ＰＳ、ＰＥＴ等樹脂製等で射出成型や真空形成その他各種方法で成型構成されているものであり、この様なネームホルダーであれば足りるものである。
【００１６】
尚、更には前面部分に光拡散性能を持たせるためにマット状としたものであってもよい。
次に名札部２に関しては、名前や写真或いは絵等を必要に応じて表示可能な紙や樹脂シートであればよく、少なくとも外部からの視認可能なものであればよい。
この場合、特にトレーシングペーパーを用いることにより透過する光に対してこれを拡散できる点や家庭用のプリンターで簡単に印字又は印刷可能であることに伴い最適であるがこれに限るものではなく、光透過性を有する薄手の紙媒体や樹脂シート媒体であってもよい。
例えば透明なシート地であっても、半透明なシート地であってもよく、或いは色彩を有するシート地であってもよい。
【００１７】
従って名札部２として用いることのできるものであればよく、例えば絵や名前等を簡単にプリンター等で印字可能であるシート状の媒体などが最適である。
次に、発光部３に関しては該紙媒体等のシート地からなる名札部２の背面に配設するものであり、所謂バックライトとして機能するものである。
本図に示す構成は一般的に多用されているボタン電池３５とプリント基板３６と、２つのＬＥＤ（発光ダイオード）３１からなっている。
更に、ＬＥＤ（発光ダイオード）３１の背面方向には反射板３７を有しており、ＬＥＤの発光を効率的に前面に照射可能としているものである。
【００１８】
例えば反射板３７としてはアルミ等の金属部材よりなる板体やガラス或いは反射可能な樹脂板等であればよい。
更に、光を効率よく拡散するために湾曲形状等をなしているものであってもよい。
少なくとも光を反射可能な反射板をいい、平面形状であると湾曲形状であると或いは凹凸形状であると問わないものである。
尚、反射板に関しては必要に応じて用いることにより効率的に光を照射できるものであり、例えばＬＥＤ（発光ダイオード）３１が平型の場合には用いないものであってもよい。
【００１９】
次に、ＬＥＤ（発光ダイオード）３１に関しては本図では２つを示すが、これに限らず１つでも或いは３つ以上でもよい。
更に、ＬＥＤ（発光ダイオード）３１にかえ、ＥＬ（エレクトロルミネセンス）であっても、或いは液晶を用いたものであってもよい。
少なくとも、印字等したトレーシングペーパー等のシート地を背面から照射可能であればよい。
これらの場合、光源の色彩に関しても任意に選択して使用するものであってよい。
色彩に変化をつけてデザイン性を高めることも可能である。
【００２０】
尚、トレーシングペーパーによる光の拡散を図ると共に、或いはこれに変えて光の拡散を図るため、マットフィルムやすりガラスを用いたものであってもよい。
次にＬＥＤ（発光ダイオード）３１やＥＬ（エレクトロルミネセンス）或いは液晶等を用いて発光する際にスライドスイッチやボタンスイッチ等のスイッチ部によって点灯と消灯を制御可能にしている。
例えばスイッチ部の手の触れる部分に発光塗料等の蓄光塗料によって塗布されているものであってもよい。  
図３は、ＬＥＤ（発光ダイオード）に代え、ＥＬ（エレクトロルミネセンス）或いは液晶等を用いた一例を示す図であり、本図ではＥＬ（エレクトロルミネセンス）３３を用いた発光部を示す図である。
前面の発光部分全体が薄膜ＥＬ素子により構成されているので反射板等は不要となる。
この場合においても発光に足りるだけの電源を有していればよく、例えば必要な電圧を有するボタン電池やリチウム電池等必要な電源３５を有していればよい。
【００２１】
もとより、これは液晶に変えた場合にも同様である。
尚、本図構成においては装着部材としてクリップ部１５と留めピン１６を有しており、係るもので胸等に装着できることとなる。
【００２２】
図４は、発光部３として導光板３２を用いた一例を示す図である。
本図に示すように名札部２の背後に導光板３２を配置し、更に横方向に光源３１を有し、ここから導光板３２に照射して、導光板全体より乱反射することによって名札部２全体を背後から照射してバックライトとして機能することとなる。
尚、光源としては、ＬＥＤ（発光ダイオード）や他の一般的に導光板に使用する光源を用いるものであれば足りる。
本図ではＬＥＤ（発光ダイオード）３１を３個で照射するが、この構成に限らず任意の個数或いは種類等を用いたものであってよい。
尚、スイッチ部３８によって発光・消灯を制御する。
【００２３】
図５は、胸に本考案に係るネームホルダーを装着した場合に例えば挿入部１０から上部方向に漏れ出す光を防ぐために上部にフード１２やシェードを設けた一例を示す図であり、本図構成はフード１２を有する一例を示す図である。
これによって、上部方向に光が漏れず、上部隙間光によるまぶしさを防げる。
例えば、このフード１２をスイッチと連動させて可動可能とし、本図に示す形態にすると点灯状態となり、フード１２を押し上げて挿入部の隙間が表出されると消灯状態とする構成をとったものであってもよい。
【００２４】
図６は、ネームホルダーに挿入部を有するものに代えて、一枚の透明シートを折り込んでその折り込みの内側に名札部２と発光部３を挟み込んで構成した本考案にかかるネームホルダーの他の例を示す図である。
この場合、一例として両側部をファスナー１１で嵌着すると共に上部において折り込みの両シート１３、１４を抑えると共に該上部に装着部材を併せ有するものである。
従って、シート地を用いて簡単にネームホルダー本体１を構成できると共に名札部２と発光部３を挟み込んで作成でき、更には名札部２の交換や電源３５の交換等も簡単にできるものである。
【図面の簡単な説明】
【００２５】
【図１】本考案に係るネームホルダーの一例を示す図
【図２】図１に係るネームホルダーの装着の状態の一例を示す図
【図３】本考案に係るネームホルダーの他の一例を示す図
【図４】本考案に係るネームホルダーの他の一例を示す図
【図５】本考案に係るネームホルダーの他の一例を示す図
【図６】本考案に係るネームホルダーの他の一例を示す図
【符号の説明】
【００２６】
１      ネームホルダー本体  
１０    挿入部
１１    ファスナー
１２    フード
１５    クリップ部
１６    留めピン
１７    紐
２      名札部
３      発光部
３１    発光ダイオード
３２    導光板
３３    ＥＬ
３５    電源
３６    プリント基板
３７    反射板
３８    スイッチ
【図１】
0003117731.tif 000003
【図２】
0003117731.tif 000004
【図３】
0003117731.tif 000005
【図４】
0003117731.tif 000006
【図５】
0003117731.tif 000007
【図６】
0003117731.tif 000008